(57)【要約】【課題】本発明は読書台の受け板とほぼ同じ大きさの拡大鏡を有し、これを読書台の受け板と水平な位置に一定距離ほど離隔するよう装着し、高さ及び上下距離を調節できるようにした拡大鏡取付読書台に関するものである。【解決手段】本発明は、ベース板、受け板及び支持台を具備し前記受け板が前記ベース板に対して一定の傾斜を有するよう調節できる読書台において、前記受け板と実質的に同じ大きさに形成される拡大鏡及び、前記拡大鏡の上部に連結され、受け板の後面からＺ方向へ移動可能に調節され、Ｙ方向に前記拡大鏡の高さが調節でき、前記拡大鏡を前記受け板と水平な平面上に位置させる高さ調節手段を含む拡大鏡取付読書台を提供する。【選択図】　　図２
2004086199.tif 000002
【特許請求の範囲】
【請求項１】
ベース板、受け板及び支持台を具備し前記受け板が前記ベース板に対して傾斜を有するよう調節できる読書台において、
前記受け板と実質的に同じ大きさに形成される拡大鏡及び、
前記拡大鏡の上部に連結され、受け板の後面からＺ方向へ移動可能なよう調節され、Ｙ方向に前記拡大鏡の高さを調節でき、前記拡大鏡を前記受け板と水平な平面上に位置させる高さ調節手段を含む拡大鏡取付読書台。
【請求項２】
前記読書台は前記拡大鏡の下部面の少なくとも一側に取り付けられる照明手段をさらに含むことを特徴とする請求項１に記載の拡大鏡取付読書台。
【請求項３】
前記読書台は前記拡大鏡の周囲を囲繞するフレームをさらに含み、前記高さ調節手段は前記フレームに連結され、前記照明手段は前記フレームの下部の少なくとも一側に取り付けられることを特徴とする請求項２に記載の拡大鏡取付読書台。
【請求項４】
前記照明手段は蛍光灯であることを特徴とする請求項２に記載の拡大鏡取付読書台。
【請求項５】
前記照明手段は前記拡大鏡または前記フレームの左右両側に取り付けられることを特徴とする請求項４に記載の拡大鏡取付読書台。
【請求項６】
前記高さ調節手段は前記受け板の後面上部に隣接して取り付けられる第１ガイド板と、
前記ガイド板が挿入され、前記ガイド板に沿ってＺ方向に移動する第１固定具と、
前記第１固定具と一定で形成され、Ｙ方向に延びており中央に長さ方向のスライド溝が形成される第２ガイド板と、
前記スライド溝に沿ってＹ方向に移動可能で、一側は前記拡大鏡に固定され、他側には固定ネジが前記第２ガイド板のスライド溝を貫通して締結される第２固定具とを含むことを特徴とする請求項１に記載の拡大鏡取付読書台。
【発明の詳細な説明】
【０００１】
【発明の属する技術分野】
本発明は拡大鏡が取り付けられた読書台に関するもので、より詳しくは読書台の受け板とほぼ同じ大きさの拡大鏡を有し、これを読書台の受け板と水平な位置に一定距離ほど離隔するよう装着し、高さ及び上下距離を調節できるようにした拡大鏡取付読書台に関するものである。
【０００２】
【従来の技術】
従来の拡大鏡取付読書台は大韓民国登録実用新案２０−２８４７８８号の図１に表すように、基板１、支持板４、受け板２を有する読書台を具備し、前記読書台にジャバラ９を用いて拡大鏡７及びスタンド８を取り付けた構成となる。前記拡大鏡７はスタンド８より小さい寸法となる。
このような拡大鏡を取り付けた読書台は読書時細かい文字や図を見るのに用い、また老眼の為読書に困難のあるお年寄りが楽に読書できるようにする機能を果たす。
【０００３】
しかし、前記のような拡大鏡７を用いる読書台を使って文書または本を読む場合、使用者が拡大鏡を操作し続けなければならないとの問題が生じる。また、これにより拡大鏡に取り付けられたスタンドも同じくその位置を変更し続けながら使用しなければならない不便が伴う。従って、前記のような拡大鏡及びスタンドの位置移動の問題を解決し、また拡大鏡の焦点を正確に維持できる構造の読書台が必要であった。
【０００４】
【発明が解決しようとする課題】
本発明は前記のような問題を解決するためのもので、拡大鏡を読書台の受け板と実質的に同じ大きさに形成し、拡大鏡の位置を変更することなく読書を可能にすることを目的とする。
また、本発明は拡大鏡の少なくとも一側下部に照明手段を取り付けスタンドの機能を含ませ、スタンドの位置を変更することなく読書を可能にすることを目的とする。
また、本発明は拡大鏡の高さなどの調節をより正確にできる読書台の構造を提供することを目的とする。
【０００５】
【課題を解決するための手段】
前記のような目的を成し遂げるための構成手段として、本発明は、ベース板、受け板及び支持台を具備し、前記受け板が前記ベース板に対して一定の傾斜を有するよう調節できる読書台において、前記受け板と実質的に同じ大きさに形成される拡大鏡；及び、前記拡大鏡の上部に連結され、受け板の後面からＺ方向へ移動可能に調節され、Ｙ方向へ前記拡大鏡の高さを調節することができ、前記拡大鏡を前記受け板と水平な平面上に位置させる高さ調節手段を含む拡大鏡取付読書台を提供する。
【０００６】
【発明の実施の形態】
以下、本発明を図に示した実施例を用いて詳細に説明する。但し、この実施例に記載される構成部品の寸法、形状、その相対配置などは特に特定的な記載がない限り、この発明の範囲をそれのみに限定する趣旨ではなく単なる説明例に過ぎない。
【０００７】
図２は本発明による拡大鏡取付読書台の第１実施例の斜視図で、図３は図２の読書台の後方側斜視図である。
読書台は一般に本を支える受け板２００、受け板の後方面に床を向いてヒンジ結合される支持台２１０、及び前記受け板と支持台が上部に安着されるベース板２８０を含む。前記受け板２００は前記ベース板２８０にヒンジ結合され回動可能であり、該傾斜角度は支持台２１０がベース板２８０に対して如何なる位置に安着するかに応じて変わる。
【０００８】
前記読書台には、受け板２００の下部中央部に見開きを固定できるよう固定部２５０が装着される。これは見開きが閉じられないよう弾性的に固定するもので通常の読書台に装着される構造に従う。
【０００９】
本発明は前記のような読書台に拡大鏡２２０を装着したもので、拡大鏡２２０は読書台の受け板２００の大きさとほぼ同じく形成される。こうした大きさの拡大鏡２２０を使用することにより、使用者が本を読みながら拡大鏡を幾度も動かさなければならない問題が解決する。従って、本発明のような拡大鏡を使用すれば拡大鏡または本の位置を操作する必要無しに最初の位置固定により拡大鏡を使った読書が可能になる。
【００１０】
拡大鏡２２０は凸レンズの役目を果たすもので、一般レンズの中心部が厚くなることを防止した平面形レンズである。本実施例において拡大鏡は年輪状の平面形レンズを使い、材質はアクリルとした。
【００１１】
このような拡大鏡は高さ調節手段により位置が固定される。高さ調節手段は受け板２００の後面上部に隣接して取り付けられる第１ガイド板２７０を含む。前記第１ガイド板２７０は第１固定具に挿入され第１固定具２６０が第１ガイド板２７０に沿って図３のＺ方向へ移動可能にする。第１固定具２６０は、四角ブロックに前記ガイド板２７０が挿入可能な空間を内側に設けた構造を有し、下部にはネジにされた絞り手段２６５が取り付けられている。従って、第１固定具２６０の位置を前記絞り手段２６５により固定できるようになる。
【００１２】
前記第１固定具２６０には図３のＹ方向に延びた第２ガイド板２３０が一体で形成される。前記第２ガイド板２３０にはスライド溝２３５が形成される。スライド溝２３５はＹ方向に長く延びており、拡大鏡がスライド溝に沿って移動できるよう機能する。第２固定具２４０は第２ガイド板２３０が挿入されるよう四角の箱形に形成される。また、前記第２固定具の一側は前記拡大鏡２２０に取り付けられ、他側には絞り手段２４５が挿入される。絞り手段２４５はネジ及びつまみから成り、前記第２固定具２４０とスライド溝２３５を貫通して挿入され、絞り手段２４５を絞ると第２固定具２４０の両面が相互密着しながら第２ガイド板２３０に固定されるよう構成されている。
【００１３】
本発明においては、前記のような高さ調節手段によりＹ方向及びＺ方向に拡大鏡の位置を調節することができる。
【００１４】
また、本実施例においては照明手段を拡大鏡の下部面の少なくとも一側に取り付けてスタンドの機能を果たすよう発明した。即ち、拡大鏡２２０の下部面の一側に細長い蛍光灯２９０を取り付け、好ましくは拡大鏡２２０の下部面の左右両側に取り付ける。前記蛍光灯２９０は、前記高さ調節手段を通して読書台に設けられる電源供給手段（図示せず）と電気的に連結され、拡大鏡２２０への取り付けは通常の取り付け方式である接着またはその他の接着手段を介在して取り付ける方式による。
【００１５】
図４は本発明による拡大鏡取付読書台の第２実施例の斜視図で、図５は図４の読書台の後方側斜視図である。本実施例において、読書台を構成する受け板４００、支持台４１０、ベース板４８０及び固定部４５０は前記第１実施例と同一である。また、高さ調節手段を構成する第１ガイド板４７０、第１固定具４６０、第２ガイド板４３０及び第２固定具４４０もやはり前記第１実施例と同一である。
【００１６】
第２実施例においては、拡大鏡４２０が拡大鏡の周囲面を囲繞するフレーム５００に取り付けられる。フレームは任意の材質から選択的に作製することができ、好ましくは、プラスチックのように軽量でありながら強度の高い樹脂材を用いる。前記フレーム５００は第２固定具４４０の一側に取り付けられ、第２固定具により位置移動が可能になる。また、前記フレーム５００の下部には照明手段が取り付けられる。即ち、細長い蛍光灯は前記フレーム５００の下部面の左右一側または両側に取り付けられる。この場合、前記第１実施例に比して蛍光灯の接着がより容易になり、拡大鏡の損傷を防止できる効果も奏する。
【００１７】
前述したような本発明による拡大鏡取付読書台の作動を図２及び図３のような第１実施例に基づき説明する。
先ず、読書台の受け板２００の傾斜を支持台２１０により調節する。そして、本または文書を受け板２００に載せ、固定部２５０を用いて固定する。次に、拡大鏡２２０を高さ調節手段によりＹ方向及びＺ方向に位置移動させて使用者の視力に焦点を合わせ、必要であれば蛍光灯を用いてスタンドの機能を行わせる。　本発明は特定の実施例に係り図示・説明したが、特許請求の範囲により具備される本発明の精神や分野を外れない限度内で本発明が多様に改造及び変化され得ることは、当業界において通常の知識を有する者であれば容易に想到することを明かしておく。
【００１８】
【発明の効果】
以上のように本発明によると、読書台の受け板とほぼ同じ大きさに形成される拡大鏡を用いて、拡大鏡の位置を移動させることなく読書を可能にする効果がある。
【００１９】
また、本発明によると、読書台の拡大鏡に照明手段を取り付けて、夜間及び集中の必要な場合に照明手段を使ってスタンドの機能を果たす拡大鏡取付読書台を提供する。
【００２０】
また、本発明によると、拡大鏡の位置を自在に調整でき、拡大鏡を定位置に固定させて使用者が焦点の揺れなしで読書できるようになり、読書時目の疲れを和らげることができる。
【図面の簡単な説明】
【図１】従来の拡大鏡が取り付けられた読書台の図面である。
【図２】本発明による拡大鏡取付読書台の第１実施例の斜視図である。
【図３】図２の読書台の後方側斜視図である。
【図４】本発明による拡大鏡取付読書台の第２実施例の斜視図である。
【図５】図４の読書台の後方側斜視図である。
【符号の説明】
２００　受け板
２２０　拡大鏡
２３０　第２ガイド板
２４０　第２固定具
２９０　蛍光灯
５００　フレーム
【図１】
2004086199.tif 000003
【図２】
2004086199.tif 000004
【図３】
2004086199.tif 000005
【図４】
2004086199.tif 000006
【図５】
2004086199.tif 000007